(57)【要約】【課題】            閉鎖動作した際の折戸部が全閉位置で停止しないようなことを防ぐことができる開閉扉装置を提供する。【解決手段】        開口部幅方向へ移動するように設けられた移動支持機構４０と、該移動支持機構４０によって回動するように支持された扉体１１とを備え、該扉体１１における前記開口部幅方向への移動および前記回動により、開口部を開閉するようにした開閉扉装置において、略全閉する際の扉体１１を不動部位から係合または吸引する全閉補助手段が設けられていることを特徴とする。【選択図】          図１
2007277845.tif 000002
【特許請求の範囲】
【請求項１】
開口部幅方向へ移動するように設けられた移動支持部と、該移動支持部によって回動するように支持された扉体とを備え、該扉体における前記開口部幅方向への移動および前記回動により、開口部を開閉するようにした開閉扉装置において、
略全閉する際の扉体を不動部位から係合または吸引する全閉補助手段が設けられていることを特徴とする開閉扉装置。
【請求項２】
上記全閉補助手段は、略全閉する際の扉体を不動部位から吸引するように、
上記扉体と上記不動部位との内の一方に、前記吸引のための磁力を発生する磁性吸引体を設けるとともに、
その他方に、前記磁性吸引体によって磁性的に吸引される被吸引体を設けてなることを特徴とする請求項１記載の開閉扉装置。
【請求項３】
上記磁性吸引体と上記被吸引体とは、上記扉体が略全閉された際に弾性体を挟んで開口部幅方向に吸着し合うように配設されていることを特徴とする請求項２記載の開閉扉装置。
【請求項４】
上記磁性吸引体と上記被吸引体とは、上記扉体が略全閉された際に隙間を置いて開口部幅方向に吸引し合うように配設されていることを特徴とする請求項２記載の開閉扉装置。
【請求項５】
上記全閉補助手段は、略全閉する際の扉体を不動部位から係合するように、
上記扉体と上記不動部位との内の一方に、前記係合のための係合部を設けるとともに、その他方に、弾性変形することで前記係合部に対し係脱する被係合部を設け、
前記係合部と前記被係合部とを係合させる際に、前記被係合部の弾性力により、前記係合部をその係合方向へ引き込むようにしたことを特徴とする請求項１記載の開閉扉装置。
【請求項６】
上記全閉補助手段は、上記移動支持部と、該移動支持部よりも戸先方向側の不動部位との間に構成されていることを特徴とする請求項１乃至５何れか１項記載の開閉扉装置。
【請求項７】
上記全閉補助手段は、上記扉体と、この扉体に対し上方側又は下方側から対向する不動部位との間に構成されていることを特徴とする請求項１、２、５の内の何れか１項記載の開閉扉装置。
【請求項８】
扉体を複数連設し、これら複数の扉体の内、隣り合う扉体の一方を他方に対して双方向へ回動するように接続するとともに、最戸先側の扉体を上記移動支持部により支持することで、両開き可能な折戸部を構成していることを特徴とする請求項１乃至７何れか１項記載の開閉扉装置。
【発明の詳細な説明】
【技術分野】
【０００１】
本発明は、扉体を回動および開口部幅方向への移動により開閉動作させるようにした折戸装置や、バランスドア装置等の開閉扉装置に関し、特に両開き式の折戸装置として好適な開閉扉装置に関するものである。
【背景技術】
【０００２】
従来、この種の発明には、特許文献１に記載されたもののように、一方の扉体（子扉４）に対して他方の扉体（親扉５）を双方向に回動するように接続してなる折戸部（折畳み式回転扉３）と、該折戸部の戸尻側を回動可能に支持する支持部材（回転軸２７）と、最戸先側の扉体（親扉５）を回動可能に吊持するとともに開口部幅方向へ移動するように支持された移動支持部（上吊車３７）とを具備した両開き可能な折畳み式回転扉がある。
この従来技術では、上記扉体（子扉４及び親扉５）を手動閉鎖する際、その閉鎖力が復帰手段（６）のスプリングの付勢力によって補助されるようにしている。
【０００３】
しかしながら、上記従来の発明によれば、図１０に示すように、扉体１０４，１０５を閉鎖動作させた際、戸先部１０５ａと縦枠１０６とが対向する全閉位置の近傍では、上記付勢手段（図示せず）のスプリングによる付勢力が弱まるため、回動する両扉体１０４，１０５の慣性力により、戸先側の扉体１０５が、前記全閉位置を通り過ぎて停止してしまったり、更に全閉位置を通り過ぎた扉体１０５が逆方向へ回動し、再度全閉位置を通り過ぎて停止してしまったり等する場合がある。
その結果、両扉体１０４，１０５が直線状に維持されず（より具体的には、図１０に実線で示すように略へ字状に折り曲がった状態に維持され）、戸先部１０５ａと縦枠１０６との間や、これら扉体１０４，１０５と上下枠（図示せず）との間等に隙間を生じてしてしまったり、両扉体１０４，１０５の全閉停止状態における外観上の体裁を損ねてしまったり等するおそれがある。
【特許文献１】特開平１１−２３６７８７号公報
【発明の開示】
【発明が解決しようとする課題】
【０００４】
本発明は上記従来事情に鑑みてなされたものであり、その課題とする処は、閉鎖動作した際の折戸部が全閉位置で停止しないようなことを防ぐことができる開閉扉装置を提供することにある。
【課題を解決するための手段】
【０００５】
上記課題を解決するために第一の発明は、開口部幅方向へ移動するように設けられた移動支持部と、該移動支持部によって回動するように支持された扉体とを備え、該扉体における前記開口部幅方向への移動および前記回動により、開口部を開閉するようにした開閉扉装置において、略全閉する際の扉体を不動部位から係合または吸引する全閉補助手段が設けられていることを特徴とする。
【０００６】
ここで、本発明に係わる開閉扉装置は、扉体を回動させながら開口部幅方向へ移動させて開閉するようにした構成であればよく、この開閉扉装置には、バランスドアや、折戸等を含むが、スライドドアや引戸、回転ドア等を含まない。
【０００７】
また、上記開口部幅方向とは、上記扉体により開閉される開口部の横幅方向であって、上記扉体における回動軸方向ではない。
【０００８】
また、移動支持部とは、より詳細に説明すれば、上下枠や床面、当該開閉扉装置の設置対象物である躯体等の不動部位に対し、上記開口部幅方向へ移動するように設けられ、且つ、上記扉体を開閉動作させるために回動するように支持している部材である。
この移動支持部において、開口部幅方向へ移動する構造は、例えば、ローラ状部材等を不動部位に設けたガイド部材に対し転動させるようにした態様や、ガイド部材に対し摺接するようにした態様等を含む。
また、この移動支持部において、上記扉体を回動させる構造は、軸部材に対し上記扉体を回動させるようにした態様や、上記扉体に軸部材を固定し、該軸部材を上記扉体と一体的に回動させるようにした態様等を含む。
また、この移動支持部は、特に好ましい態様としては、上記扉体をその上方側から吊り下げる態様とするが、他例としては、上記扉体をその下方側から支持する態様や、上記扉体をその上方側と下方側との双方から支持する態様等とすることも可能である。
【０００９】
また、上記扉体は、例えば本発明の開閉扉装置をバランスドア装置に適用した場合、単数で用いられる態様とすればよい。
この扉体は、例えば本発明の開閉扉装置を折戸装置に適用した場合、複数用いて、隣り合う扉体の一方を他方に対し回動するように接続するとともに、最戸先側の扉体を上記移動支持部によって支持した構成とすればよい。
【００１０】
また、上記不動部位とは、開口部幅方向へ移動しながら回動する扉体に相対して不動な部位であればよく、この不動部位には、例えば、上記扉体周囲の枠部材や、該枠部材に固定された部材、床面、当該開閉扉装置の設置対象物である躯体等を含む。
【００１１】
また、上記全閉補助手段とは、より具体的に説明すれば、上記扉体が略全閉状態、または略全閉状態に近い位置になった際に、その扉体を上記不動部位に直接的または間接的に係合させたり、その扉体を上記不動部位から直接的又は間接的に吸引したり等する構成であればよい。
この全閉補助手段には、例えば、上記扉体自体を上記不動部位側に係合させたり上記不動部位側から吸引したりする構成や、上記扉体を支持する上記移動支持部材を、上記不動部位側に係合させたり上記不動部位側から吸引したりする構成等を含む。
すなわち、上記扉体と上記不動部位との間には、中間部材が存在してもよいし、中間部材が存在しなくてもよい。
また、この全閉補助手段による係合方向または吸引方向は、上記開口部幅方向に沿う方向とするのが好ましいが、上記扉体の回動方向に沿う方向とすることも可能である。
【００１２】
また、上記全閉補助手段による上記係合または上記吸引とは、略全閉状態となった際の上記扉体に係合または吸引し、その状態を維持する構成であればよい。
この全閉補助手段には、例えば、ベルベットファスナーや面ファスナーにより上記扉体側の部位と上記不動部位とを係脱するようにした態様や、上記扉体側に設けられる係合部と上記不動部位側に設けられる被係合部とを係脱可能に係合するようにした態様、吸盤により上記扉体側の部位と上記不動部位とを吸着するようにした態様、磁石（永久磁石や、電磁石等を含む）により上記扉体側の部位と上記不動部位とを吸引するようにした態様等を含む。
【００１３】
また、上記全閉補助手段を吸引する態様とした場合、上記扉体または上記扉体に一体的な部位（例えば上記移動支持部等）と、上記不動部位とが吸着し合って接触する態様としてもよいし、これら双方の部位が、吸着することなく引き合う態様としてもよい。
すなわち、後者の態様は、例えば、上記扉体と上記不動部位との内の一方に、磁石等の磁性吸引体を設けるとともに、その他方に該磁性吸引体により吸引される被吸引体を設け、上記扉体が略全閉された際に、これら磁性吸引体と被吸引体とが隙間を置いて引き合っている状態となるようにすればよい。
【００１４】
また、第二の発明では、上記全閉補助手段は、略全閉する際の扉体を不動部位から吸引するように、上記扉体と上記不動部位との内の一方に、前記吸引のための磁力を発生する磁性吸引体を設けるとともに、その他方に、前記磁性吸引体によって磁性的に吸引される被吸引体を設けてなることを特徴とする。
【００１５】
ここで、上記磁性吸引体には、例えば、永久磁石や電磁石等を含む。
また、上記被吸引体は、上記磁性吸引体により磁性的に吸引される部材であればよく、この被吸引体には、例えば、上記磁性吸引体と引き合うように配設された永久磁石や電磁石、磁性金属材料や、その他の磁性体を含む。
【００１６】
また、第三の発明では、上記磁性吸引体と上記被吸引体とは、上記扉体が略全閉された際に弾性体を挟んで開口部幅方向に吸着し合うように配設されていることを特徴とする。
【００１７】
ここで、上記弾性体は、上記磁性吸引体と上記被吸引体とが吸着し合った際に、これらの間に挟まれて当接音や衝撃等を緩和する弾性体であればよく、この弾性体には、例えば、ゴムや、弾性合成樹脂材料、スポンジやその他の発泡材料、スプリング、板バネ等を含む。
【００１８】
また、第四の発明では、上記磁性吸引体と上記被吸引体とは、上記扉体が略全閉された際に隙間を置いて開口部幅方向に吸引し合うように配設されていることを特徴とする。
【００１９】
また、第五の発明では、上記全閉補助手段は、略全閉する際の扉体を不動部位から係合するように、上記扉体と上記不動部位との内の一方に、前記係合のための係合部を設けるとともに、その他方に、弾性変形することで前記係合部に対し係脱する被係合部を設け、前記係合部と前記被係合部とを係合させる際に、前記被係合部の弾性力により、前記係合部をその係合方向へ引き込むようにしたことを特徴とする。
【００２０】
また、第六の発明では、上記全閉補助手段は、上記移動支持部と、該移動支持部よりも戸先方向側の不動部位との間に構成されていることを特徴とする。
【００２１】
また、第七の発明では、上記全閉補助手段は、上記扉体と、この扉体に対し上方側又は下方側から対向する不動部位との間に構成されていることを特徴とする。
【００２２】
この第七の発明における不動部位には、例えば、上記扉体に対し上方側から対向する上枠部材や、上記扉体に対し下方側から対向する下枠部材または床部、その他、当該開閉扉装置の設置対象物において上記扉体に対し上方側または下方側から対向する部位等を含む。
【００２３】
また、第八の発明では、扉体を複数連設し、これら複数の扉体の内、隣り合う扉体の一方を他方に対して双方向へ回動するように接続するとともに、最戸先側の扉体を上記移動支持部により支持することで、両開き可能な折戸部を構成していることを特徴とする。
【発明の効果】
【００２４】
本発明は、以上説明したように構成されているので、以下に記載されるような作用効果を奏する。
第一の発明によれば、扉体が略全閉する際、その扉体は不動部位側から係合または吸引される。
よって、閉鎖動作した際の扉体が全閉位置で停止しないようなことを防ぐことができ、ひいては、扉体の戸先部と該戸先部に対向する部位（例えば縦枠など）との間や、扉体とその上下の部位（例えば、上枠や、下枠、床面など）との間等に隙間を生じるのを防いで、当該開閉扉装置による閉鎖性を向上することができ、その上、略全閉時における外観上の体裁を向上することができる。
【００２５】
更に、第二の発明によれば、磁性吸引体と被吸引体は、非接触の状態に位置する際も、これら両者間の磁性的な吸引力により引き合うことになる。
したがって、閉鎖動作中の扉体の閉鎖力（例えば、扉体を閉鎖しようとする手動力や、扉体を弾性力等によって閉鎖方向へ付勢する付勢手段の付勢力等）が、扉体が略全閉状態となる若干手前で弱まったとしても、その扉体を、全閉位置の手前で停止させないようにし、前記磁性的な吸引力により閉鎖方向へ移動させることができる。
更に、前記閉鎖力が強すぎたり、閉鎖動作中の扉体の慣性力が比較的大きく作用したり等することに起因して、扉体が全閉位置を通り過ぎてしまった場合でも、その通り過ぎた扉体を、前記磁性的な吸引力によって全閉位置側へ戻すことができる。
【００２６】
更に、第三の発明によれば、磁性吸引体と被吸引体とが吸着し合う際、それらの間に弾性体が介在されるため、その吸着の際の衝撃や当接音等を軽減することができ、ひいては、扉体による全閉時の振動や騒音を軽減することができる。
【００２７】
更に、第四の発明によれば、扉体が略全閉した際、磁性吸引体と被吸引体とが当接せずに隙間を置いた状態で配置される。したがって、磁性吸引体と被吸引体による衝撃や当接音が生じるのを防ぐことができ、ひいては、扉体による全閉時の振動や騒音を一層軽減することができる。
【００２８】
更に、第五の発明によれば、扉体が全閉位置に近接すると、係合部と被係合部との係合が開始し、被係合部の弾性力により係合部が係合方向へ引き込まれて、扉体が閉鎖方向へ移動する。
したがって、閉鎖動作中の扉体の閉鎖力が略全閉状態の若干手前で弱まったとしても、該扉体を、被係合部の弾性力により閉鎖方向へ移動させることができる。
【００２９】
更に、第六の発明によれば、全閉補助手段が、開口部を通過しようとする通過者や通過物等の邪魔になったり、扉体の開閉動作が全閉補助手段により阻まれたり等するのを防ぐことができる。
すなわち、例えば、仮に全閉補助手段を扉体における戸先部と該戸先部に対向する縦枠等の間に配設した場合には、その全閉補助手段が突出して、前記通過者や通過物等の邪魔になったり、前記戸先部に接触して扉体の開閉動作が阻まれたり等するおそれがあるが、本発明では、全閉補助手段を扉体の上方側に配置する構成としているため、前記のような支障を防ぐことができる。
しかも、全閉補助手段を上枠やカバー部材等により容易に覆うことができ、ひいては、当該開閉扉装置の外観上の体裁を向上することができる。
【００３０】
また、第七の発明によれば、全閉補助手段が開口部を通過しようとする通過者や通過物等の邪魔になるのを防ぐことができる。
【００３１】
更に、第八の発明によれば、閉鎖動作した際の扉体が全閉位置で停止しないようなことを防ぐという作用効果を、顕著に発揮させることができる。
【発明を実施するための最良の形態】
【００３２】
以下、本発明の実施の形態を図面に基づいて説明する。
本発明に係わる開閉扉装置は、住宅やビル、倉庫、工場、地下街、トンネル、車両の荷台等の構築・構造物において開閉される出入り口等の部分に配設され、開閉体の回動により開閉動作するバランスドア装置や折戸装置等として適用可能であるが、特に好ましい態様として、両開きタイプの折戸装置として構成した一例について説明する。
【００３３】
この開閉扉装置１は、図１に示すように、連設された複数の扉体１１，１２からなり開閉動作する折戸部１０と、該折戸部１０を左右方向側および上方側から囲む枠体２０と、該折戸部１０の戸尻側を回動可能に支持する基軸部３０と、該折戸部１０の戸先側の扉体１１を回動および開口部幅方向（図１における左右方向）へ移動するように支持した移動支持機構４０とを備え、枠体２０の上枠部２３内には、略全閉する際の戸先側の扉体１１を不動部位から吸引する全閉補助手段が構成されている。
【００３４】
折戸部１０は、複数の扉体１１，１２を連設し、隣り合う扉体１１，１２の一方を他方に対して双方向へ回動するように接続してなる。
なお、図示例によれば、折戸部１０は、二つの扉体１１，１２により構成しているが、３以上の扉体を前記と同様に接続するようにしてもよい。
また、単一の扉体を用い、当該折戸装置をバランスドア装置として構成することも可能である。
【００３５】
最戸先側の扉体１１は、その上端部が、後述する移動支持機構４０によって吊持されることで、回動可能かつ開口部幅方向へ移動可能に支持されている。
この扉体１１の戸先側における表部及び／又は裏部には、取手部１１ａが設けられている。
取手部１１ａは、扉体１１に対し離間するように配設された略円筒状の把持部１１ａ１と、扉体１１の表面に固定されて把持部１１ａ１の上下両端側に対し凹凸状に遊嵌された支持部材１１ａ２，１１ａ２とからなり、把持部１１ａ２を回動自在に保持している。
【００３６】
この取手部１１ａによれば、扉体１１を開閉操作する操作者が、手首を返すことなく、把持部１１ａ１を回動させながら扉体１１を回動させることができるため、その操作性が良好である。
また、扉体１１の戸尻側の端部は、蝶番や歯車、リンク部材等の回動機構を介して、扉体１２の戸先側端部に対し回動自在に接続されている。
なお、図中符号１１ａ３は、ガラスや透明合成樹脂材料等の透明部材からなる窓部である。
また、図中符号１３は、扉体１１の戸尻側端部と、扉体１２の戸先側端部との各々に設けられ、これら扉体１１，１２間に物等が挟まれるのを防ぐ、挟み防止部材１３であり、ゴムや弾性樹脂材料等から中空状に形成されている。
【００３７】
また、戸尻側の扉体１２は、その戸尻側端部に、後述する基軸部３０を内在し、該基軸部３０によって双方向へ回動するように支持されるとともに、同基軸部３０の付勢緩衝機構３２における付勢機構より閉鎖回動方向へ付勢されるとともに、同付勢緩衝機構３２内のダンパー機構によって全閉状態の手前で閉鎖速度が低下するようになっている。
【００３８】
この扉体１２における表部又は裏部には、前記付勢機構３２の調整部を露出させるように調整窓部１２ａ，１２ｂが設けられている。
一方の調整窓部１２ａ（又は１２ｂ）は、付勢緩衝機構３２の前記付勢機構を調整するための窓部であり、他方の調整窓部１２ｂ（又は１２ａ）は、同付勢緩衝機構３２の前記ダンパー機構を調整するための窓部である。
これら調整窓部１２ａ，１２ｂは、使用時以外はカバー部材等により覆うようにすればよいが、カバー部材等を設けずに付勢緩衝機構３２が露出される構成とすることも可能である。
【００３９】
また、枠体２０は、全閉時の折戸部１０の戸先部１０ａに対向する戸先側縦枠部２１と、全閉時の折戸部１０の戸尻部１０ｂに対向する戸尻側縦枠部２２と、これら縦枠部材２１，２２間をその上端側で連結する上枠部２３とから略コ字枠状に構成され、中空状の上枠部２３内には、後述する移動支持機構４０および全閉補助手段等が構成されている。
なお、図示例によれば、折戸部１０の下方側は、床面や地面等としているが、両縦枠部２１，２２間にわたる下枠部としてもよい。
【００４０】
また、基軸部３０は、折戸部１０の最戸尻側における上端側を回動自在に支持する枢支部材３１と、同戸尻側の下端側を支持する付勢緩衝機構３２とから構成され、戸尻側の扉体１２を回動可能に支持している。
枢支部材３１は、その上端側の部分が上枠部２３に固定されるとともに、その下端側の部分を扉体１２に対し回動自在に係合させている。
【００４１】
また、付勢緩衝機構３２は、扉体１２をスプリング等の弾性体の弾性力により閉鎖回動方向へ付勢する付勢機構と、同扉体１２の閉鎖動作を全閉状態の手前で減速するダンパー機構とを備えた周知の機構である。
なお、前記ダンパー機構は、扉体１２が勢いよく開放された際等に、全開時の衝撃を緩和する機構に置換することも可能である。
【００４２】
また、移動支持機構４０は、開口部幅方向へ移動するように設けられるとともに、戸先側の扉体１１を回動自在に吊持する移動支持部４１と、該移動支持部４１を開口部幅方向へ導くガイドレール４２と、該ガイドレール４２の最戸先側に配設された磁性吸引体４３とを備え、略全閉する際の扉体１１を、移動支持部４１を介して戸先方向側から磁性吸引体４３により吸引する全閉補助手段を構成している。
【００４３】
移動支持部４１は、戸先側の扉体１１を回動自在に吊持する軸部４１ａと、該軸部４１ａの上端側部分を吊持する支持ブラケット４１ｂと、該支持ブラケット４１ｂによって回動自在に支持された吊車４１ｃ，４１ｃとから構成されている。なお、軸部４１ａは、扉体１１に対しその幅方向へは移動しないように構成されている。
【００４４】
軸部４１ａは、ベアリング等を介して、扉体１１を開閉動作時に回動するように支持している。
【００４５】
支持ブラケット４１ｂは、その下部側に、軸部４１ａを止着するとともに、上部側に、吊車４１ｃを開口部幅方向に沿って回動させるように支持している。
この支持ブラケット４１ｂは、磁性金属材料により形成されることで、磁性吸引体４３により磁性的に吸引される被吸引体として機能する。
なお、前記被吸引体の他例としては、この支持ブラケット４１ｂ自体を、磁性吸引体４３と吸引し合う磁石とした構成や、この支持ブラケット４１ｂの磁性吸引体４３に対向する部位に、磁性吸引体４３と吸引し合うように磁石を設けた構成等としてもよい。
【００４６】
吊車４１ｃは、開口部幅方向に沿って転動するように支持ブラケット４１ｂに支持され、図示例した好ましい一例によればその配設数を二つとしているが、単数もしくは３つ以上とすることも可能である。
【００４７】
また、ガイドレール４２は、吊車４１ｃを開口部幅方向へわたって下方側から受けるように形成され、上枠部２３に対し固定されている。
【００４８】
また、磁性吸引体４３は、所謂永久磁石であり、支持ブラケット４１ｂの戸先方向側の端部に対向するように配置され、ブラケット４３ａを介して、不動部位である上枠部２３に対し固定されている。
そして、この磁性吸引体４３における支持ブラケット４１ｂ側の端部には、支持ブラケット４１ｂによって当接されるように弾性体４３ｂ（図３参照）が固定されている。
【００４９】
ブラケット４３ａは、図３に示す一例によれば略Ｌ金具状を呈し、その止着片部に開口部幅方向の長孔４３ａ１を備え、該長孔４３ａ１に挿通される止着具（例えば、ネジや、ビス、リベット等）により上枠部２３に止着される。
したがって、このブラケット４３ａによれば、扉体１１が略全閉した際に、弾性体４３ｂが支持ブラケット４１ｂを吸着するように、開口部幅方向の位置を、前記長孔４３ａ１により微調整することができる。
【００５０】
弾性体４３ｂは、本実施の形態の好ましい一例によれば、ゴムや弾性合成樹脂材料等から構成されている。
なお、この弾性体４３ｂは、扉体１１が略全閉された際に磁性吸引体４３と支持ブラケット４１ｂ（被吸引体）との間に挟まれるように配置されていればよく、他例としては、支持ブラケット４１ｂ側に固定された構成であってもよい。
【００５１】
また、図２中符号４４は、扉体１１が略全開された際に支持ブラケット４１ｂによって当接される被当接部であり，この被当接部４４は、その当接の際の衝撃を緩和するように、当接面に弾性体等の緩衝材を固定している。
【００５２】
次に、上記構成の開閉扉装置１について、その作用効果を詳細に説明する。
折戸部１０は、全開状態から閉鎖される際、付勢緩衝機構３２の付勢機構により閉鎖回動方向へ付勢されるため、操作者が比較的軽く閉鎖操作することにより、図４に二点鎖線で示すように閉鎖動作することになる。
【００５３】
そして、戸先側の扉体１１が戸先側縦枠部２１に接近すると、支持ブラケット４１ｂ（被吸引体）が磁性吸引体４３により吸引されるため、前記付勢機構による付勢力が弱まったり、同付勢緩衝機構３２のダンパー機構が強く作用しすぎたり等して、扉体１１の閉鎖動作が減速したとしても、前記磁性吸引体４３の吸引力により、扉体１１を略全閉状態まで閉鎖動作させることができる。
【００５４】
また、扉体１１の慣性力により、扉体１１が扉体１２と略直線状になる全閉位置を通り過ぎてしまうのを、磁性吸引体４３の吸引力により防ぐことができる上、仮に、扉体１１が前記全閉位置を通り過ぎてしまったとしても、その通り過ぎた扉体１１を、磁性吸引体４３の吸引力により全閉位置に戻すことができる。
【００５５】
また、扉体１１が略全閉位置になった際には、磁性吸引体４３と移動支持部４１（被吸引体）とが、弾性体４３ｂを介して当接するため、その際の当接音および衝撃等を軽減することができる。
【００５６】
次に、本発明に係わる開閉扉装置の他例について説明する。なお、以下に示す開閉扉装置において、上記開閉扉装置１と略同様の箇所については、同一の符号を付けることで、重複する詳細説明を省略する。
図５に示す開閉扉装置２は、上記開閉扉装置１における移動支持部４１から弾性体４３ｂを省くとともに、磁性吸引体４３と支持ブラケット４１ｂ（被吸引体）とが、扉体１１が略全閉された際に隙間ｓを置いて開口部幅方向に引き合うようにしたものである。
より詳細に説明すれば、磁性吸引体４３は、支持ブラケット４１ｂにおける開口部幅方向の止着位置の調整により、扉体１１が全閉位置にある際の支持ブラケット４１ｂに対し、隙間ｓだけ離間するように配置されている。
前記隙間ｓは、磁性吸引体４３と支持ブラケット４１ｂ（被吸引体）とが接触せず、且つ、磁性吸引体４３の吸引力が、接近した際の支持ブラケット４１ｂに対し十分に作用するように適宜に設定されている。
【００５７】
而して、図５に示す開閉扉装置２によれば、上記開閉扉装置１と略同様に、扉体１１が全閉位置で停止しないようなことを防ぐことができる上、扉体１１の全閉時に、磁性吸引体４３と支持ブラケット４１ｂによる当接音や衝撃等が発生するのを防ぐことができる。
【００５８】
なお、図示例の開閉扉装置２によれば、上記弾性体４３ｂを省くようにしているが、万が一、磁性吸引体４３の位置調整不良等に起因して、磁性吸引体４３と支持ブラケット４１ｂとが当接してしまうのを防ぐため、弾性体４３ｂを備え、該弾性体４３ｂと支持ブラケット４１ｂとの間に上記隙間ｓを確保するようにしてもよい。
【００５９】
また、図６に示す開閉扉装置３は、上記開閉扉装置１に対し、磁性吸引体４３およびブラケット４３ａ、弾性体４３ｂを、被係合部４５及びブラケット４６に置換するとともに、支持ブラケット４１ｂに係合部４１ｄを設けた構成とされる。
【００６０】
係合部４１ｄは、支持ブラケット４１ｂに対し、開口部幅方向へ転動するように支持されたローラである。
なお、図示例は、好ましい一例として、係合部４１ｄを回動自在なローラとしているが、該ローラを省き、被係合部４５に対し滑らせて係合する態様とすることも可能である。
【００６１】
被係合部４５は、弾性的に撓むことが可能な金属材料（例えば、バネ用金属材料等）からなり、その基端側がブラケット４６を介して上枠部２３に固定されるとともに、その先端側を係合部４１ｄ側へ突出させた略板状の部材である。
より詳細に説明すれば、この被係合部４５は、その先端側に係合部４１ｄの係合を容易にする係合補助傾斜面４５ａを形成するとともに、該係合補助傾斜面４５ａよりも基端側に係合部４１ｄを係合方向へ引き込む引込傾斜面４５ｂを形成してなり、図示例によれば略逆へ字状に形成されている。
そして、この被係合部４５は、前記係合補助傾斜面４５ａと引込傾斜面４５ｂとの交差箇所を係合部４１ｄの外周面よりも下方側に位置させるとともに、扉体１１が全閉位置に近接した際に、同交差箇所を係合部４１ｄが乗り越えるようにして通過するようにしている。
【００６２】
而して、図６に示す開閉扉装置３によれば、扉体１１の閉鎖動作により全閉位置に近づくと、係合部４１ｄが係合補助傾斜面４５ａに導かれて被係合部４５との係合を開始し、更に、係合部４１ｄは、被係合部４５の弾性力により引込傾斜面４５ｂに沿って係合方向へ引き込まれる。
よって、閉鎖動作した際の扉体１１を、係合部４１ｄ及び被係合部４５の作用により、略全閉状態の若干手前から略全閉するまで移動させて、停止することができる。
なお、扉体１１を開放する際には、前記と逆の動作により、被係合部４５を弾性変形させればよい。
【００６３】
また、図７に示す開閉扉装置４は、上記開閉扉装置１に対し、支持ブラケット４１ｂに係合部４１ｅを加えるとともに、磁性吸引体４３およびブラケット４３ａ、弾性体４３ｂを、被係合部４７及びブラケット４８に置換した構成とされる。
【００６４】
係合部４１ｅは、図示例によれば支持ブラケット４１ｂから被係合部４７へ向って突出する略ひし形状に形成されている。
被係合部４７は、弾性変形可能な金属材料によって係合部４１ｅを挟む略コ枠状に形成され、その両先端部の各々に回動自在にローラ４７ａを支持してなり、ブラケット４８を介して、不動部位である上枠部２３に対し止着されている。
なお、この被係合部４７は、ローラ４７ａを省き、係合部４１ｅを滑らせて係合させる構成とすることも可能である。
【００６５】
而して、図７に示す開閉扉装置４によれば、扉体１１の閉鎖動作により全閉位置に近づくと、係合部４１ｅが、弾性的に広がる被係合部４７の両ローラ４７ａ，４７ａ間に挿入されて係合する。
したがって、略全閉状態となった扉体１１が停止しないことを防ぐことができる。
なお、扉体１１を開放する際には、前記と逆の動作により、被係合部４７を弾性変形させればよい。
【００６６】
また、図８に示す開閉扉装置５は、上記開閉扉装置１に対し、磁性吸引体４３およびブラケット４３ａ、弾性体４３ｂを、磁性吸引体５１および被吸引体５２に置換することで、扉体１１と、該扉体１１に対し上方側から対向する上枠部２３（不動部位）との間に、扉体１１の全閉時の動作を磁性的に補助する全閉補助手段を構成したものである。
【００６７】
磁性吸引体５１は、扉体１１の上端部に対向するとともに、該上端部との間に間隔を置くようにして、上枠部２３に固定された永久磁石である。
被吸引体５２は、磁性吸引体５１により磁性的に吸引可能な金属材料あるいは磁石等であり、磁性吸引体５１に対し上下方向に対向するようにして、扉体１１の上端部に固定されている。
【００６８】
而して、図８に示す開閉扉装置５によれば、扉体１１が略全閉される若干手前で、磁性吸引体５１と被吸引体５２とが磁性的に引き合うため、その磁性的な吸引力により、扉体１１は略全閉状態で停止することになる。
よって、扉体１１が全閉位置で停止しないことを防ぐことができる。
【００６９】
なお、図示例の磁性吸引体５１及び被吸引体５２によれば、扉体１１の幅方向に対し長尺状に形成することで、磁性吸引体５１の吸引力が効果的に被吸引体５２に作用するようにしているが、これら磁性吸引体５１及び被吸引体５２は、扉体１１の幅方向に対し短尺状に形成されていてもよい。
また、図示例の磁性吸引体５１及び被吸引体５２は、扉体１１に対し単数設けられているが、複数設けるようにしてもよい。
また、図示例の磁性吸引体５１及び被吸引体５２は、戸先側の扉体１１のみに設けられているが、加えて戸尻側の扉体１２にも設けたり、扉体１２のみに設けたり、あるいは、上述した図２，５，６，７に示す全閉補助手段の何れかを併用したり等することも可能である。
【００７０】
また、図９に示す開閉扉装置６は、上記開閉扉装置１に対し、磁性吸引体４３およびブラケット４３ａ、弾性体４３ｂを、係合部６１及び被係合部６２に置換することで、扉体１１と、該扉体１１に対し上方側から対向する上枠部２３（不動部位）との間に全閉補助手段を構成したものである。
【００７１】
係合部６１は、扉体１１の上端部から上方へ向って突出する突起であり、その突端が上枠部２３の下端部に接触しないように配設されている。
被係合部６２は、その片半部６２ａと他半部６２ｂとが、それぞれ上述した被係合部４７（図７参照）と同様に構成されるとともに、これら片半部６２ａと他半部６２ｂとを、その間に係合部６１を挿入可能なように所定間隔を置いて対向して配置し、上枠部２３の下端部に固定されている。
【００７２】
而して、図９に示す開閉扉装置６によれば、扉体１１が略全閉されると、被係合部６２の片半部６２ａと他半部６２ｂとの間に、係合部６１が挿入され係合する。
したがって、扉体１１が全閉位置で停止しないようなことを防ぐことができる。
また、扉体１１を開放する際には、被係合部６２の片半部６２ａと他半部６２ｂとが弾性的に変形するため、係合部６１の離脱が可能である。
【００７３】
なお、図示例の係合部６１および被係合部６２は、戸先側の扉体１１のみに設けるようにしているが、加えて戸尻側の扉体１２にも設けたり、扉体１２のみに設けたり、あるいは、上述した図２，５，６，７，８に示す全閉補助手段の何れかを併用したり等することも可能である。
【図面の簡単な説明】
【００７４】
【図１】本発明に係わる開閉扉装置の一例を示す正面図である。
【図２】同開閉扉装置の要部構造図であり、（ａ）は、扉体を略全閉した際の状態を示し、（ｂ）は扉体を略全開した際の状態を示す。
【図３】同開閉扉装置における磁性吸引体の一例を示す斜視図である。
【図４】同開閉扉装置における扉体の動作を上方側から視るようにして示す図である。
【図５】本発明に係わる開閉扉装置の他例を示す要部構造図である。
【図６】本発明に係わる開閉扉装置の他例を示す要部構造図である。
【図７】本発明に係わる開閉扉装置の他例を示す要部構造図である。
【図８】本発明に係わる開閉扉装置の他例を示す正面図であり、磁性吸引体や被吸引体等が配設される要部を切欠して示している。
【図９】本発明に係わる開閉扉装置の他例について、扉体の動作を上方から視て示す図である。
【図１０】従来の開閉扉装置について、扉体の動作を上方から視て示す図である。
【符号の説明】
【００７５】
１，２，３，４，５，６：開閉扉装置
１０：折戸部
１１：扉体
１２：扉体
４０：移動支持機構
４１：移動支持部
４１ｂ：支持ブラケット（被吸引体）
４１ｄ，４１ｅ，６１：係合部
４２：ガイドレール
４３，５１：磁性吸引体
４３ｂ：弾性体
４５，４７，６２：被係合部
５２：被吸引体
ｓ：隙間
【図１】
2007277845.tif 000003
【図２】
2007277845.tif 000004
【図３】
2007277845.tif 000005
【図４】
2007277845.tif 000006
【図５】
2007277845.tif 000007
【図６】
2007277845.tif 000008
【図７】
2007277845.tif 000009
【図８】
2007277845.tif 000010
【図９】
2007277845.tif 000011
【図１０】
2007277845.tif 000012